(57)【要約】【課題】アイピースを覗いて観察しながら撮像素子での撮影を行うことができる望遠鏡において、アイピースから観察する観察画角と撮像素子で撮影する撮影画角とが所定の比率になったとき、そのことを使用者が容易に把握することができる望遠鏡、望遠鏡本体およびアイピースを提供すること。【解決手段】本発明の地上望遠鏡１０は、対物光学系１１と、フォーカスレンズ３１を有する合焦手段３と、被写体像を撮像するＣＣＤ撮像素子１６と、ズームアイピース２Ａと、対物光学系１１およびフォーカスレンズ３１を経た光路を接眼光学系２１へ向かう第１光路とＣＣＤ撮像素子１６へ向かう第２光路とに分岐させるビームスプリッター５６と、接眼光学系２１を介して観察する観察画角とＣＣＤ撮像素子１６での撮影画角とが所定の比率であるか否かを検知する検知手段と、検知手段の検知結果を報知する報知手段としてのＬＥＤランプ２５とを備える。【選択図】図６
2005274618.tif 000002
【特許請求の範囲】
【請求項１】
対物光学系と、
ピント合わせを行う際に操作するピント操作部材とこのピント操作部材の操作によって光軸方向に移動するフォーカスレンズとを有する合焦手段と、
前記対物光学系および前記フォーカスレンズを介して形成される被写体像を撮像する撮像素子と、
焦点距離を連続的に変化させ得るズーム式の接眼光学系を有するアイピースと、
前記対物光学系および前記フォーカスレンズを経た光路を前記接眼光学系へ向かう第１光路と前記撮像素子へ向かう第２光路とに分岐させるビームスプリッターと、
前記接眼光学系を介して観察する観察画角と前記撮像素子での撮影画角とが所定の比率であるか否かを検知する検知手段と、
前記検知手段の検知結果を報知する報知手段とを備えたことを特徴とする望遠鏡。
【請求項２】
前記検知手段は、前記接眼光学系のズーミング量を検出するズームエンコーダと、
前記ズームエンコーダが出力する信号に基づいて前記観察画角と前記撮影画角とが所定の比率であるか否かを判定する判定手段とを有する請求項１に記載の望遠鏡。
【請求項３】
前記検知手段は、前記撮影画角に関する撮影画角データと、前記対物光学系の焦点距離に関する対物光学系焦点距離データとを記憶する記憶手段と、
前記接眼光学系のズーミング量を検出するズームエンコーダと、
前記ズームエンコーダが出力する信号に基づいてそのときのズーミング状態における前記接眼光学系の焦点距離に関する接眼光学系焦点距離データと見掛け視界に関する見掛け視界データとを出力するアイピース情報出力手段と、
前記観察画角と前記撮影画角とが所定の比率であるか否かを判定する判定手段とを有し、
前記判定手段は、前記記憶手段に記憶された前記撮影画角データおよび前記対物光学系焦点距離データと、前記アイピース情報出力手段から出力された前記接眼光学系焦点距離データおよび前記見掛け視界データとに基づき、対物光学系焦点距離を接眼光学系焦点距離で除算して得た観察倍率で見掛け視界を除算して得た観察画角の値と、撮影画角の値とを比較することにより判定を行う請求項１に記載の望遠鏡。
【請求項４】
前記報知手段は、使用者の視覚に訴えて報知するものであり、使用者が前記アイピースを覗いた状態で視認できるように構成されている請求項１ないし３のいずれかに記載の望遠鏡。
【請求項５】
前記対物光学系を含む前記対物光学系から前記撮像素子の受光面までの間に配置された光学系全系で前記撮像素子の撮影光学系が構成され、この撮影光学系の焦点距離が、３５ｍｍフィルム判換算で８００ｍｍ以上である請求項１ないし４のいずれかに記載の望遠鏡。
【請求項６】
対物光学系と、
ピント合わせを行う際に操作するピント操作部材とこのピント操作部材の操作によって光軸方向に移動するフォーカスレンズとを有する合焦手段と、
前記対物光学系および前記フォーカスレンズを介して形成される被写体像を撮像する撮像素子と、
接眼光学系を有するアイピースを着脱自在に装着可能なアイピース取付口と、
前記対物光学系および前記フォーカスレンズを経た光路を前記接眼光学系へ向かう第１光路と前記撮像素子へ向かう第２光路とに分岐させるビームスプリッターとを備えた望遠鏡本体であって、
前記接眼光学系を介して観察する観察画角と前記撮像素子での撮影画角とが所定の比率であるか否かを検知する検知手段を有し、該検知手段の検知結果を当該望遠鏡本体および／または前記アイピースに設けられた報知手段により報知することを特徴とする望遠鏡本体。
【請求項７】
前記検知手段は、前記アイピース取付口に装着されたアイピースから、そのアイピースに関する情報を取得するアイピース情報取得手段と、
前記アイピース情報取得手段により取得した情報に基づいて前記観察画角と前記撮影画角とが所定の比率であるか否かを判定する判定手段とを有する請求項６に記載の望遠鏡本体。
【請求項８】
前記検知手段は、前記撮影画角に関する撮影画角データと、前記対物光学系の焦点距離に関する対物光学系焦点距離データとを記憶する記憶手段と、
前記アイピース取付口に装着されたアイピースから、そのアイピースの接眼光学系の焦点距離に関する接眼光学系焦点距離データと見掛け視界に関する見掛け視界データとを取得するアイピース情報取得手段と、
前記観察画角と前記撮影画角とが所定の比率であるか否かを判定する判定手段とを有し、
前記判定手段は、前記記憶手段に記憶された前記撮影画角データおよび前記対物光学系焦点距離データと、前記アイピース情報取得手段により取得した前記接眼光学系焦点距離データおよび前記見掛け視界データとに基づき、対物光学系焦点距離を接眼光学系焦点距離で除算して得た観察倍率で見掛け視界を除算して得た観察画角の値と、撮影画角の値とを比較することにより判定を行う請求項６に記載の望遠鏡本体。
【請求項９】
前記対物光学系を含む前記対物光学系から前記撮像素子の受光面までの間に配置された光学系全系で前記撮像素子の撮影光学系が構成され、この撮影光学系の焦点距離が、３５ｍｍフィルム判換算で８００ｍｍ以上である請求項６ないし８のいずれかに記載の望遠鏡本体。
【請求項１０】
単焦点の接眼光学系を有し、請求項７に記載の望遠鏡本体に装着して使用可能なアイピースであって、
前記判定手段に供するための当該アイピースに関する情報を記憶する記憶手段を備えたことを特徴とするアイピース。
【請求項１１】
単焦点の接眼光学系を有し、請求項８に記載の望遠鏡本体に装着して使用可能なアイピースであって、
前記接眼光学系の焦点距離に関する接眼光学系焦点距離データと見掛け視界に関する見掛け視界データとを記憶する記憶手段を備えたことを特徴とするアイピース。
【請求項１２】
焦点距離を連続的に変化させ得るズーム式の接眼光学系を有し、請求項７に記載の望遠鏡本体に装着して使用可能なアイピースであって、
前記判定手段に供する情報を得るために前記接眼光学系のズーミング量を検出するズームエンコーダを備えたことを特徴とするアイピース。
【請求項１３】
焦点距離を連続的に変化させ得るズーム式の接眼光学系を有し、請求項８に記載の望遠鏡本体に装着して使用可能なアイピースであって、
前記接眼光学系のズーミング量を検出するズームエンコーダと、
前記ズームエンコーダが出力する信号に基づいてそのときのズーミング状態における前記接眼光学系の焦点距離に関する接眼光学系焦点距離データと見掛け視界に関する見掛け視界データとを出力するアイピース情報出力手段とを備えたことを特徴とするアイピース。
【請求項１４】
前記望遠鏡本体に装着された状態で前記検知手段の検知結果を報知する報知手段を備えた請求項１０ないし１３のいずれかに記載のアイピース。
【請求項１５】
前記報知手段は、使用者の視覚に訴えて報知するものであり、使用者が当該アイピースを覗いた状態で視認できるように構成されている請求項１４に記載のアイピース。
【発明の詳細な説明】
【技術分野】
【０００１】
本発明は、望遠鏡、望遠鏡本体およびアイピースに関する。
【背景技術】
【０００２】
アイピースから覗いている観察像を同時に撮像素子で撮影することもできるデジタル撮影機能付きの望遠鏡（地上望遠鏡）が知られている（例えば、特許文献１参照）。デジタル撮影機能付き望遠鏡は、対物光学系およびフォーカスレンズを経た光をビームスプリッターで分岐させ、分岐した一方の光をアイピースの接眼光学系へ導き、他方の光を例えばＣＣＤ等の撮像素子へ導くように構成されている。
【０００３】
このようなデジタル撮影機能付き望遠鏡は、通常の望遠鏡と同様に、アイピースを焦点距離の異なるものに交換することによって、あるいは、ズーム式のアイピースを用いる場合にはこれをズーミングすることによって、観察倍率を変えることができる。
【０００４】
観察倍率を変えると、観察画角（実視界）は変わるが、撮像素子での撮影画角は一定であり変化しない。このため、アイピースから覗いて見える範囲（観察視野の広さ）と、撮影画像に写る範囲（撮影写野の広さ）とは、必ずしも合致せず、しかも観察倍率の変更によって観察画角と撮影画角との相対的な広狭が変化してしまう。このようなことから、使用者は、撮影画角が観察画角に対してどのような関係になっているかを把握するのが困難で、希望通りの構図で撮影するのが難しいという問題がある。
【０００５】
【特許文献１】登録実用新案第３０７４６４２号公報
【発明の開示】
【発明が解決しようとする課題】
【０００６】
本発明の目的は、アイピースを覗いて観察しながら撮像素子での撮影を行うことができる望遠鏡において、アイピースから観察する観察画角と撮像素子で撮影する撮影画角とが所定の比率になったとき、そのことを使用者が容易に把握することができる望遠鏡、望遠鏡本体およびアイピースを提供することにある。
【課題を解決するための手段】
【０００７】
このような目的は、下記（１）〜（１５）の本発明により達成される。
（１）  対物光学系と、
ピント合わせを行う際に操作するピント操作部材とこのピント操作部材の操作によって光軸方向に移動するフォーカスレンズとを有する合焦手段と、
前記対物光学系および前記フォーカスレンズを介して形成される被写体像を撮像する撮像素子と、
焦点距離を連続的に変化させ得るズーム式の接眼光学系を有するアイピースと、
前記対物光学系および前記フォーカスレンズを経た光路を前記接眼光学系へ向かう第１光路と前記撮像素子へ向かう第２光路とに分岐させるビームスプリッターと、
前記接眼光学系を介して観察する観察画角と前記撮像素子での撮影画角とが所定の比率であるか否かを検知する検知手段と、
前記検知手段の検知結果を報知する報知手段とを備えたことを特徴とする望遠鏡。
【０００８】
これにより、ズーム式のアイピースを覗いて観察しながら撮像素子での撮影を行うことができる望遠鏡において、アイピースをズーミングして観察倍率を変えていくとき、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【０００９】
（２）  前記検知手段は、前記接眼光学系のズーミング量を検出するズームエンコーダと、
前記ズームエンコーダが出力する信号に基づいて前記観察画角と前記撮影画角とが所定の比率であるか否かを判定する判定手段とを有する上記（１）に記載の望遠鏡。
【００１０】
これにより、比較的簡単な構成で、観察画角と撮影画角とが所定の比率になったのを正確に検知することができる。
【００１１】
（３）  前記検知手段は、前記撮影画角に関する撮影画角データと、前記対物光学系の焦点距離に関する対物光学系焦点距離データとを記憶する記憶手段と、
前記接眼光学系のズーミング量を検出するズームエンコーダと、
前記ズームエンコーダが出力する信号に基づいてそのときのズーミング状態における前記接眼光学系の焦点距離に関する接眼光学系焦点距離データと見掛け視界に関する見掛け視界データとを出力するアイピース情報出力手段と、
前記観察画角と前記撮影画角とが所定の比率であるか否かを判定する判定手段とを有し、
前記判定手段は、前記記憶手段に記憶された前記撮影画角データおよび前記対物光学系焦点距離データと、前記アイピース情報出力手段から出力された前記接眼光学系焦点距離データおよび前記見掛け視界データとに基づき、対物光学系焦点距離を接眼光学系焦点距離で除算して得た観察倍率で見掛け視界を除算して得た観察画角の値と、撮影画角の値とを比較することにより判定を行う上記（１）に記載の望遠鏡。
【００１２】
これにより、比較的簡単な構成で、観察画角と撮影画角とが所定の比率になったのを正確に検知することができる。
【００１３】
（４）  前記報知手段は、使用者の視覚に訴えて報知するものであり、使用者が前記アイピースを覗いた状態で視認できるように構成されている上記（１）ないし（３）のいずれかに記載の望遠鏡。
【００１４】
これにより、使用者がアイピースを覗き込んだ状態を維持したままで、観察画角と撮影画角とが所定の比率になったのを使用者に知らせることができるので、より確実に報知することができる。
【００１５】
（５）  前記対物光学系を含む前記対物光学系から前記撮像素子の受光面までの間に配置された光学系全系で前記撮像素子の撮影光学系が構成され、この撮影光学系の焦点距離が、３５ｍｍフィルム判換算で８００ｍｍ以上である上記（１）ないし（４）のいずれかに記載の望遠鏡。
【００１６】
撮影光学系の焦点距離が上記のような範囲にある場合、本発明の効果がより顕著に発揮される。
【００１７】
（６）  対物光学系と、
ピント合わせを行う際に操作するピント操作部材とこのピント操作部材の操作によって光軸方向に移動するフォーカスレンズとを有する合焦手段と、
前記対物光学系および前記フォーカスレンズを介して形成される被写体像を撮像する撮像素子と、
接眼光学系を有するアイピースを着脱自在に装着可能なアイピース取付口と、
前記対物光学系および前記フォーカスレンズを経た光路を前記接眼光学系へ向かう第１光路と前記撮像素子へ向かう第２光路とに分岐させるビームスプリッターとを備えた望遠鏡本体であって、
前記接眼光学系を介して観察する観察画角と前記撮像素子での撮影画角とが所定の比率であるか否かを検知する検知手段を有し、該検知手段の検知結果を当該望遠鏡本体および／または前記アイピースに設けられた報知手段により報知することを特徴とする望遠鏡本体。
【００１８】
これにより、アイピースを覗いて観察しながら撮像素子での撮影を行うことができる望遠鏡において、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【００１９】
（７）  前記検知手段は、前記アイピース取付口に装着されたアイピースから、そのアイピースに関する情報を取得するアイピース情報取得手段と、
前記アイピース情報取得手段により取得した情報に基づいて前記観察画角と前記撮影画角とが所定の比率であるか否かを判定する判定手段とを有する上記（６）に記載の望遠鏡本体。
【００２０】
これにより、比較的簡単な構成で、観察画角と撮影画角とが所定の比率になったのを正確に検知することができる。
【００２１】
（８）  前記検知手段は、前記撮影画角に関する撮影画角データと、前記対物光学系の焦点距離に関する対物光学系焦点距離データとを記憶する記憶手段と、
前記アイピース取付口に装着されたアイピースから、そのアイピースの接眼光学系の焦点距離に関する接眼光学系焦点距離データと見掛け視界に関する見掛け視界データとを取得するアイピース情報取得手段と、
前記観察画角と前記撮影画角とが所定の比率であるか否かを判定する判定手段とを有し、
前記判定手段は、前記記憶手段に記憶された前記撮影画角データおよび前記対物光学系焦点距離データと、前記アイピース情報取得手段により取得した前記接眼光学系焦点距離データおよび前記見掛け視界データとに基づき、対物光学系焦点距離を接眼光学系焦点距離で除算して得た観察倍率で見掛け視界を除算して得た観察画角の値と、撮影画角の値とを比較することにより判定を行う上記（６）に記載の望遠鏡本体。
【００２２】
これにより、比較的簡単な構成で、観察画角と撮影画角とが所定の比率になったのを正確に検知することができる。
【００２３】
（９）  前記対物光学系を含む前記対物光学系から前記撮像素子の受光面までの間に配置された光学系全系で前記撮像素子の撮影光学系が構成され、この撮影光学系の焦点距離が、３５ｍｍフィルム判換算で８００ｍｍ以上である上記（６）ないし（８）のいずれかに記載の望遠鏡本体。
【００２４】
撮影光学系の焦点距離が上記のような範囲にある場合、本発明の効果がより顕著に発揮される。
【００２５】
（１０）  単焦点の接眼光学系を有し、上記（７）に記載の望遠鏡本体に装着して使用可能なアイピースであって、
前記判定手段に供するための当該アイピースに関する情報を記憶する記憶手段を備えたことを特徴とするアイピース。
【００２６】
これにより、アイピースを覗いて観察しながら撮像素子での撮影を行うことができる望遠鏡において、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【００２７】
（１１）  単焦点の接眼光学系を有し、上記（８）に記載の望遠鏡本体に装着して使用可能なアイピースであって、
前記接眼光学系の焦点距離に関する接眼光学系焦点距離データと見掛け視界に関する見掛け視界データとを記憶する記憶手段を備えたことを特徴とするアイピース。
【００２８】
これにより、アイピースを覗いて観察しながら撮像素子での撮影を行うことができる望遠鏡において、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【００２９】
（１２）  焦点距離を連続的に変化させ得るズーム式の接眼光学系を有し、上記（７）に記載の望遠鏡本体に装着して使用可能なアイピースであって、
前記判定手段に供する情報を得るために前記接眼光学系のズーミング量を検出するズームエンコーダを備えたことを特徴とするアイピース。
【００３０】
これにより、ズーム式のアイピースを覗いて観察しながら撮像素子での撮影を行うことができる望遠鏡において、アイピースをズーミングして観察倍率を変えていくとき、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【００３１】
（１３）  焦点距離を連続的に変化させ得るズーム式の接眼光学系を有し、上記（８）に記載の望遠鏡本体に装着して使用可能なアイピースであって、
前記接眼光学系のズーミング量を検出するズームエンコーダと、
前記ズームエンコーダが出力する信号に基づいてそのときのズーミング状態における前記接眼光学系の焦点距離に関する接眼光学系焦点距離データと見掛け視界に関する見掛け視界データとを出力するアイピース情報出力手段とを備えたことを特徴とするアイピース。
【００３２】
これにより、ズーム式のアイピースを覗いて観察しながら撮像素子での撮影を行うことができる望遠鏡において、アイピースをズーミングして観察倍率を変えていくとき、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【００３３】
（１４）  前記望遠鏡本体に装着された状態で前記検知手段の検知結果を報知する報知手段を備えた上記（１０）ないし（１３）のいずれかに記載のアイピース。
【００３４】
これにより、観察画角と撮影画角とが予め定められた所定の比率になったとき、これを使用者により確実に報知することができる。
【００３５】
（１５）  前記報知手段は、使用者の視覚に訴えて報知するものであり、使用者が当該アイピースを覗いた状態で視認できるように構成されている上記（１４）に記載のアイピース。
【００３６】
これにより、使用者がアイピースを覗き込んだ状態を維持したままで、観察画角と撮影画角とが所定の比率になったのを使用者に知らせることができるので、より確実に報知することができる。
【発明の効果】
【００３７】
本発明によれば、アイピースを覗いて観察しながら撮像素子での撮影を行うことができる望遠鏡において、観察画角と撮影画角とが予め定められた所定の比率になったとき、使用者は、そのことを知ることができるので、撮影画角を容易に把握することができる。よって、撮影後になって撮影画像の画角が意図したものと異なっていたというような失敗が起きるのを確実に防止することができる。
【発明を実施するための最良の形態】
【００３８】
以下、本発明の望遠鏡、望遠鏡本体およびアイピースを添付図面に示す好適な実施形態に基づいて詳細に説明する。
図１は、本発明の望遠鏡本体を地上望遠鏡本体に適用した場合の実施形態を示す斜め前方から見た斜視図、図２は、図１に示す地上望遠鏡本体を斜め後方から見た斜視図、図３は、図１に示す地上望遠鏡本体の断面側面図、図４は、本発明の地上望遠鏡の光学系を示す斜視図、図５は、プリズムユニットを図３と反対側から見た側面図、図６は、図１に示す地上望遠鏡本体と本発明のズーム式のアイピースとを組み合わせてなる本発明の地上望遠鏡のブロック図、図７および図８は、それぞれ、本発明の単焦点のアイピースの実施形態を示す斜視図およびブロック図、である。
【００３９】
図１に示すように、地上望遠鏡本体（スポッティングスコープ本体）１は、対物光学系１１を内蔵した鏡筒１２と、鏡筒１２の基端側に設けられた筐体１３とを有している。筐体１３の正面側上方には、ピント操作部材としてのピントリング３２が回転可能に設置されている。
【００４０】
図２に示すように、筐体１３の背面側には、アイピース取付口１４と、ディスプレイ１５と、各種の操作スイッチ類４と、ＬＥＤ（発光ダイオード）ランプ４７とが設置されている。
【００４１】
アイピース取付口１４は、円筒状をなし、筐体１３から突出するように設置されている。このアイピース取付口１４には、単焦点（固定焦点）の接眼光学系２１を内蔵したアイピース２や、ズーム式の接眼光学系２１を内蔵したズームアイピース２Ａを着脱自在に装着することができる。
【００４２】
地上望遠鏡本体１と、アイピース２またはズームアイピース２Ａとで、本発明の地上望遠鏡（スポッティングスコープ）１０が構成される。地上望遠鏡１０は、例えば野鳥観察などの目的に好適に用いることができる。
【００４３】
このような地上望遠鏡本体１は、単焦点のアイピース２を使用する場合には焦点距離の異なる他のアイピース２に交換することによって、またズームアイピース２Ａを使用する場合にはこれをズーミングすることによって、観察倍率を変えることができる。
【００４４】
アイピース取付口１４には、装着されたアイピース２またはズームアイピース２Ａに対する通信ライン７０および電源ライン７１を接続するための電気接点１４１が設けられている。
【００４５】
図示の構成では、アイピース取付口１４に装着されたアイピース２の光軸が対物光学系１１の光軸に対し上向きに所定角度傾斜するアングルタイプの地上望遠鏡となっているが、これに限らず、本発明は、両者が平行とされたストレートタイプのものにも適用することができる。
【００４６】
ディスプレイ１５は、例えば液晶表示素子などで構成されている。ディスプレイ１５には、メニュー画面、各種モードの設定画面や、後述するＣＣＤ（Charge Coupled Device）撮像素子１６で撮影した画像などを表示することができる。
【００４７】
操作スイッチ類４としては、電源のＯＮ／ＯＦＦを切り替えるメインスイッチ４１と、レリーズボタン４２と、メニューキー４３と、ディスプレイ１５のＯＮ／ＯＦＦを切り替えるディスプレイキー４４と、ディスプレイ１５に表示されるカーソル等を移動させる上方向キー４５１、下方向キー４５２、左方向キー４５３および右方向キー４５４からなる４方向キー４５と、選択した内容を確定するＯＫボタン４６とが設けられている。
【００４８】
ＬＥＤランプ４７は、後述するように、アイピース２またはズームアイピース２Ａを覗いて観察する観察像の画角（以下、単に「観察画角」と言う）と、ＣＣＤ撮像素子１６で撮影する画像の画角（以下、単に「撮影画角」と言う）とが合致している場合にこれを使用者に報知する報知手段として機能するものである。なお、本発明で言う「観察画角」とは「実視界」と同じ意味であるが、以下の説明では「観察画角」に統一する。
【００４９】
図３に示すように、鏡筒１２の先端付近には、対物光学系１１が設置されている。また、筐体１３内には、フォーカスレンズ（焦点調節レンズ）３１が対物光学系１１と同軸上に設置されている。フォーカスレンズ３１は、ピントリング３２を回転操作することによって光軸方向に移動し、これによりピント合わせを行うことができる。ピントリング３２の回転運動をフォーカスレンズ３１の直進運動に変換するフォーカスレンズ移動機構３３（図示せず）としては、例えば円筒カム機構や送りねじ機構などを用いることができる。フォーカスレンズ３１と、ピントリング３２と、フォーカスレンズ移動機構３３とで、合焦手段３が構成される。
【００５０】
筐体１３内におけるフォーカスレンズ３１の後方には、プリズムユニット５が設置されている。プリズムユニット５は、第１の直角プリズム５１と、第２の直角プリズム５２と、第３の直角プリズム５３と、第４の直角プリズム５４と、プリズム５５とを有している。
【００５１】
第１の直角プリズム５１の短辺側の面と第２の直角プリズム５２の長辺側の面とは接合されており、この接合面がビームスプリッター５６を構成している。また、図４に示すように、プリズム５５には、接眼光学系２１（アイピース取付口１４）へ向かう光が出射する出射面５５１が設けられている。
【００５２】
図３に示すように、対物光学系１１およびフォーカスレンズ３１を経た光は、まず、第１の直角プリズム５１へ入射する。この光の光路Ｌ１は、ビームスプリッター５６にて、接眼光学系２１へ向かう第１光路Ｌ２と、ＣＣＤ撮像素子１６へ向かう第２光路Ｌ３とに分岐する。
【００５３】
接眼光学系２１へ向かう第１光路Ｌ２は、ビームスプリッター５６での反射と、第１の直角プリズム５１の他方の短辺側の面での反射とにより、１８０°向きが変わる。図５に示すように、第１光路Ｌ２は、第３の直角プリズム５３にて２回反射して再度１８０°向きが変わり、さらにプリズム５５にて２回反射することにより上向きに傾斜し、出射面５５１より出射して接眼光学系２１へ向かうように構成されている。
【００５４】
第１の直角プリズム５１と第３の直角プリズム５３とは、正立光学系（ポロプリズム）を構成する。これにより、アイピース２またはズームアイピース２Ａにおいて正立像を観察することができる。
【００５５】
図３に示すように、ＣＣＤ撮像素子１６へ向かう第２光路Ｌ３は、ビームスプリッター５６を透過して第４の直角プリズム５４内へ進み、第４の直角プリズム５４にて２回反射することにより１８０°向きが変わって前方へ進む。
【００５６】
筐体１３内には、さらに、ＣＣＤ撮像素子１６と、光学フィルターユニット１７と、縮小光学系１８とが設置されている。
【００５７】
ＣＣＤ撮像素子１６は、第２光路Ｌ３に沿って進んだ光を受光する位置に配置されており、対物光学系１１およびフォーカスレンズ３１により形成された被写体像を撮像可能になっている。これにより、地上望遠鏡１０では、アイピース２またはズームアイピース２Ａでの観察しているものを同時にＣＣＤ撮像素子１６によって撮影することができる。なお、撮像素子としては、ＣＣＤ撮像素子１６に限らず、例えばＣＭＯＳセンサー等を用いてもよい。
【００５８】
光学フィルターユニット１７は、ＣＣＤ撮像素子１６の受光面側に重ねて設置されている。この光学フィルターユニット１７は、光学ローパスフィルターと、赤外線カットフィルターとが積層されてなるものである。光学ローパスフィルターは、被写体光の空間周波数の中から、ＣＣＤ撮像素子１６の画素間隔で決まる標本化空間周波数に近い空間周波数成分を低減させるものである。光学ローパスフィルターを設けたことにより、偽色（モアレ）が生じるのを防止することができる。
【００５９】
また、赤外線カットフィルターは、赤外波長成分を除去するものである。赤外線カットフィルターを設置したことにより、ＣＣＤ撮像素子１６が人間の目に見えない赤外光を受光してしまうのを防止することができる。
【００６０】
第４の直角プリズム５４と、ＣＣＤ撮像素子１６および光学フィルターユニット１７との間には、縮小光学系１８が設置されている。フォーカスレンズ３１からの、第２光路Ｌ３を通った光束は、縮小光学系１８によってＣＣＤ撮像素子１６のサイズに合うように縮小され、ＣＣＤ撮像素子１６の受光面上に結像する。
【００６１】
以上説明したように、地上望遠鏡本体１では、対物光学系１１を含む対物光学系１１からＣＣＤ撮像素子１６の受光面までの間に配置された光学系全系、すなわち、対物光学系１１、フォーカスレンズ３１、ビームスプリッター５６、縮小光学系１８および光学フィルターユニット１７によって、ＣＣＤ撮像素子１６に対する撮影光学系が構成される。
【００６２】
この撮影光学系の焦点距離は、３５ｍｍフィルム判換算で８００ｍｍ以上であるのが好ましい。ここで、３５ｍｍフィルム判換算の焦点距離とは、ＣＣＤ撮像素子１６の有効受光面を３５ｍｍ銀塩フィルムカメラのフィルム露光面（３６ｍｍ×２４ｍｍ）の面積に拡大したとき、その拡大受光面に同じ画角で被写体像を結像させるような焦点距離を言う。
【００６３】
また、この撮影光学系の焦点距離の上限は特にないが、実際に実用されると想定される本発明の望遠鏡における撮影光学系の焦点距離としては、３５ｍｍフィルム判換算で２００００ｍｍ以下程度である。
【００６４】
縮小光学系１８は、その光軸方向へ移動可能に設置されており、レンズ駆動機構１９の駆動により縮小光学系１８が光軸方向へ移動するように構成されている（図６参照）。本実施形態におけるレンズ駆動機構１９は、その詳細な図示を省略するが、送りねじとこれを回転させるステッピングモータとを用いて縮小光学系１８を直進駆動する構造になっている。
【００６５】
縮小光学系１８が光軸方向に移動すると、対物光学系１１およびフォーカスレンズ３１を介して形成される被写体像の結像位置がＣＣＤ撮像素子１６の受光面に対して光軸方向に移動する。すなわち、縮小光学系１８は、ＣＣＤ撮像素子１６の受光面上における被写体像の合焦状態を調節するＣＣＤ撮像素子１６用の焦点調節光学系として機能する。
【００６６】
レンズ駆動機構１９は、縮小光学系駆動コントローラ（制御手段）６８の制御に基づいて作動し、被写体像の結像位置を光軸方向に相対的に移動させてＣＣＤ撮像素子１６の受光面に対し位置合わせするフォーカス駆動手段として機能する。
【００６７】
なお、フォーカス駆動手段としては、上記の構成に限らず、ＣＣＤ撮像素子１６を光軸方向に移動することによって被写体像の結像位置をＣＣＤ撮像素子１６の受光面に対し相対的に移動させるように構成されたものでもよい。本実施形態においては、構成の簡単化を優先し、縮小光学系１８を移動させて焦点調節を行うようにしている。また、本発明では、このようなフォーカス駆動手段が省略されていても良い。
【００６８】
縮小光学系１８に対しては、縮小光学系１８が基準位置Ｐｓにあるのを検出する位置センサ６９が設けられている。位置センサ６９の出力信号は、縮小光学系駆動コントローラ６８に入力される。縮小光学系１８が基準位置Ｐｓにあるとき、ＣＣＤ撮像素子１６の受光面は、視野枠２０（予定焦点位置）と光学的に等価な位置に位置する。
【００６９】
図６に示すように、地上望遠鏡本体１は、電気的回路構成として、ボディＣＰＵ（Central Processing Unit）６０と、ＤＳＰ（Digital Signal Processor）６１と、記憶手段としてのＳＤＲＡＭ（Synchronous Dynamic Random Access Memory）６２と、撮像信号処理回路６３と、タイミングジェネレータ６４と、メモリインターフェース６６と、記憶手段としてのＥＥＰＲＯＭ（Electrically Erasable Programmable Read-Only Memory）６７とを有している。また、筐体１３内には、メモリーカード（記録媒体）１００を装填可能なスロット（図示せず）が設けられている。
【００７０】
ボディＣＰＵ６０は、予め記憶されたプログラムや操作スイッチ類４からの入力信号に基づいて地上望遠鏡１０を統括的に制御する制御手段であり、撮影制御、縮小光学系駆動コントローラ６８に対する制御等の各種動作制御を行う。
【００７１】
ＤＳＰ６１は、ＣＣＤ撮像素子１６の駆動制御およびＣＣＤ撮像素子１６からの画素信号から画像データを生成する画像生成手段として機能したり、画像データの圧縮処理やメモリーカード１００への画像データ記録処理など、画像処理および画像記録の処理動作を統括して制御する制御手段として機能したりするプロセッサであり、ボディＣＰＵ６０と接続され相互に通信して制御の連携が可能な構成となっている。
【００７２】
ＳＤＲＡＭ６２には、画像データ生成等の作業を行う作業領域や、ディスプレイ１５用領域等が予め定められている。
【００７３】
タイミングジェネレータ６４は、ＤＳＰ６１の制御に基づき、ＣＣＤ撮像素子１６、撮像信号処理回路６３および縮小光学系駆動コントローラ６８に対してサンプルパルスなどを出力し、これらの動作制御を行う。
【００７４】
ディスプレイ１５には、次のようにして、アイピース２またはズームアイピース２Ａを覗いて観察する観察像と同様の、ＣＣＤ撮像素子１６で撮像したリアルタイムの画像をライブビュー表示（モニター表示）することができる。ＣＣＤ撮像素子１６の受光面上に結像した被写体像は、光電変換されて電荷データとなり、この電荷データ（信号）は、ライブビュー画像データ作成のため、ＣＣＤ撮像素子１６から所定画素分ずつ間引かれて順次読み出され、撮像信号処理回路６３にて相関二重サンプリング（ＣＤＳ）、自動利得制御（ＡＧＣ）およびアナログ−デジタル変換がなされた後、ＤＳＰ６１へ入力される。ＤＳＰ６１においては、入力された信号に対して所定のカラープロセス処理やγ補正等の信号処理が施され、ライブビュー画像データ（輝度信号データＹ、二つの色差信号データＣｒ、Ｃｂ）が生成される。このライブビュー画像データは、ディスプレイ１５の表示画素数に対応して、ＣＣＤ撮像素子１６の有効画素数よりも少ない画素数（間引きしたデータ数）の画像データであり、このライブビュー画像データに基づいてディスプレイ１５の表示がなされる。ライブビュー画像データの生成処理は、ＣＣＤ撮像素子１６の読み出しとともに周期的に更新され、ディスプレイ１５上では、リアルタイムの動画として表示される。
【００７５】
ＥＥＰＲＯＭ６７には、ＣＣＤ撮像素子１６の受光面における有効エリアの対角距離の２分の１の値ｙを示すデータと、対物光学系１１を含む対物光学系１１からＣＣＤ撮像素子１６の受光面までの間に配置された光学系全系で構成される撮影光学系の焦点距離（前述した３５ｍｍフィルム判換算ではない実際の焦点距離）の値ｆを示すデータと、対物光学系１１の焦点距離の値ｆＯを示すデータとが記憶（格納）されている。
【００７６】
次に、単焦点のアイピース２の構成について説明する。図８に示すように、本実施形態のアイピース２の接眼光学系２１は、対物側から順に第１群２１１、第２群２１２および第３群２１３の３つのレンズ群で構成されている。これらの各レンズ群はいずれも固定されており、よって、アイピース２の接眼光学系２１は、焦点距離が固定されたものとなっている。
【００７７】
同図に示すように、このアイピース２は、電気的回路構成として、アイピースＣＰＵ２２と、記憶手段としてのＲＯＭ（Read-Only Memory）２３と、ＬＥＤランプ２５とを有している。
【００７８】
図７に示すように、アイピース２には、アイピース取付口１４の電気接点１４１に対応する電気接点２４が設けられている。アイピース２がアイピース取付口１４に装着された状態では、両者の電気接点１４１および２４が接触することにより、アイピースＣＰＵ２２と地上望遠鏡本体１側のボディＣＰＵ６０とが通信ライン７０および電源ライン７１を介して接続される。
【００７９】
アイピースＣＰＵ２２は、電源ライン７１を介して地上望遠鏡本体１から供給される電力により作動する。また、アイピースＣＰＵ２２は、通信ライン７１を介してボディＣＰＵ６０と接続され、相互に通信して制御の連携が可能な構成となっている。
【００８０】
ＲＯＭ２３には、このアイピース２の接眼光学系２１の焦点距離の値ｆｅを示すデータと、見掛け視界の値ｓを示すデータとが記憶（格納）されている。
【００８１】
図４に示すように、ＬＥＤランプ２５は、接眼光学系２１（第３群２１３）の周囲近傍に設置されている。このＬＥＤランプ２５は、観察画角と撮影画角とが合致している場合にこれを使用者に報知する報知手段として機能するものである。
【００８２】
地上望遠鏡本体１に対しては、焦点距離の異なる複数のアイピース２が用意されており、そのうちの一つを選択してアイピース取付口１４に装着して使用する。そして、アイピース２を焦点距離の異なるものに交換することにより、観察倍率を変えることができる。
【００８３】
次に、ズームアイピース２Ａについて説明するが、単焦点のアイピース２との相違点を中心に説明し、同様の事項についてはその説明を省略する。
【００８４】
図６に示すように、ズームアイピース２Ａの接眼光学系２１では、第３群２１３は固定的に設置されているが、第１群２１１および第２群２１２は、光軸方向に移動可能になっており、ズーム光学系を構成している。ズームアイピース２Ａが備えるズーム操作環（ズーム操作部材）２１４を回転させると、第１群２１１と第２群２１２とが互いの間隔を変えながら光軸方向に移動することにより、焦点距離が連続的に変化し、ズーミングがなされる。
【００８５】
なお、詳細な図示は省略するが、ズーム操作環２１４の回転運動は、公知の例えば円筒カム機構により第１群２１１および第２群２１２の光軸方向運動に変換されるように構成されている。
【００８６】
また、ズームアイピース２Ａの外観図は省略するが、ズームアイピース２Ａには、アイピース２と同様に、電気接点２４およびＬＥＤランプ２５が設けられている。
【００８７】
ズームアイピース２Ａは、さらに、電気的回路構成として、アイピースＣＰＵ２２と、ＲＯＭ２３と、接眼光学系２１のズーミング量を検出するズームエンコーダ２６とを有している。
【００８８】
ズームエンコーダ２６は、ズームアイピース２Ａの鏡筒内に固定されたパターン接点と、ズーム操作環２１４に固定されたブラシとを有しており、ズーム操作環２１４が手動操作されると、このブラシがパターン接点上を摺動することにより、ズーミング量に応じた信号をアイピースＣＰＵ２２へ出力する。
【００８９】
ズームアイピース２ＡのＲＯＭ２３には、ズーミング量とこのズーミング量に応じて変化する接眼光学系２１の焦点距離および見掛け視界との対応関係を示すテーブルが記憶（格納）されている。アイピースＣＰＵ２２は、このテーブルとズームエンコーダ２６の出力信号とに基づいて、そのときのズーミング状態における接眼光学系２１の焦点距離の値ｆｅを示すデータと、見掛け視界の値ｓを示すデータとを算出し、出力することができる。
【００９０】
以上、地上望遠鏡本体１とアイピース２またはズームアイピース２Ａとで構成される地上望遠鏡１０の構成について説明した。このような地上望遠鏡１０の使用者は、アイピース２またはズームアイピース２Ａの接眼光学系２１を介して観察を行う際、観察対象物までの距離に応じてピントリング３２を操作することにより、観察像のピントを合わせることができる。このとき、観察像の結像位置（空中像）が視野枠２０の位置に来たときに、観察像のピントが合うと認識できるように設計されている。別言すると、使用者は、視野枠２０の位置（予定焦点位置）に形成される像が明瞭に見えるように、ピントリング３２を回してピント合わせを行うように設計されている。
【００９１】
そして、使用者は、撮影・記録しておきたい観察像に出会った場合、レリーズボタン４２を操作して撮影を行うことにより、それを撮影・記録することができる。
【００９２】
このような地上望遠鏡１０では、前述したように、単焦点のアイピース２を用いる場合には焦点距離の異なる他のアイピース２に交換することによって、また、ズームアイピース２Ａを用いる場合にはズーム操作環２１４を回転させてズーミングすることによって、観察倍率を変えることができる。観察倍率を変えると、観察画角が変わるが、ＣＣＤ撮像素子１６での撮影画角は変化しない。
【００９３】
このため、観察画角と撮影画角とは必ずしも合致せず、また、観察倍率を変えることによって観察画角と撮影画角との相対的な広狭が変化する。
【００９４】
そこで、本発明の地上望遠鏡１０では、観察画角と撮影画角とが合致した場合には、これを自動的に検知し、その検知結果をＬＥＤランプ４７および２５によって使用者に知らしめるようにした。
【００９５】
これにより、使用者は、観察画角と撮影画角とが合致した場合にはその旨を知ることができ、その状態で撮影を行えば観察画角と同じ画角の撮影画像を得ることができるので、容易かつ確実に、所望の構図で撮影を行うことができる。また、観察画角と撮影画角とが合致した状態からアイピース２の交換またはズーム操作環２１４の操作によって観察倍率を変えた場合であっても、観察画角に対して撮影画角が広くなるか狭くなるかの見当を付けることができるので、所望の構図で撮影を行うことができる。
【００９６】
以下、上述した本発明の特徴点を含め、地上望遠鏡１０の制御動作について図９および図１０に示すフローチャートに基づいて詳細に説明するが、まず最初に、ズームアイピース２Ａを用いる場合について説明する。図９は、ボディＣＰＵ６０のメイン制御動作を示すフローチャート、図１０は、アイピースＣＰＵ２２の制御動作を示すフローチャートである。
【００９７】
電源オフ状態からメインスイッチ４１が押されてオンすると（図９中のステップＳ００１）、ボディＣＰＵ６０が起動して各種設定値の読み込みを行った後、縮小光学系駆動コントローラ６８を介してレンズ駆動機構１９を駆動制御することにより、縮小光学系１８を基準位置Ｐｓに移動させ、初期化する（ステップＳ００２）。
【００９８】
次いで、ボディＣＰＵ６０は、アイピースＣＰＵ２２から焦点距離ｆｅおよび見掛け視界ｓのデータを取得するためにアイピースＣＰＵ２２に対し通信（以下「Ｂ−Ｅ通信１」と言う）を試みる。
【００９９】
一方、アイピースＣＰＵ２２は、電源ライン７１によって地上望遠鏡本体１から電力が供給されると、パワーオンリセットされ、初期化される（図１０中のステップＳ１０１）。次いで、アイピースＣＰＵ２２は、ボディＣＰＵ６０からの通信割り込みを禁止した状態とする（ステップＳ１０２）。通信割り込みを禁止する間、ボディＣＰＵ６０は、ズームエンコーダ２６の出力信号を受け取る（ステップＳ１０３）とともに、ＲＯＭ２３に記憶された、焦点距離および見掛け視界とズーミング量との対応関係を示すデータテーブルを検出し（ステップＳ１０４）、これらに基づいて、現在のズーミング状態における焦点距離ｆｅと、見掛け視界ｓとを算出し、設定する（ステップＳ１０５）。
【０１００】
アイピースＣＰＵ２２は、焦点距離ｆｅおよび見掛け視界ｓを算出・設定したら、ボディＣＰＵ６０からの通信割り込みを許可し（ステップＳ１０６）、ボディＣＰＵ６０からの通信割り込みを待つ（ステップＳ１０７）。ボディＣＰＵ６０からＢ−Ｅ通信１の割り込みがあった場合には（ステップＳ１０８）、ボディＣＰＵ６０とアイピースＣＰＵ２２とは、Ｂ−Ｅ通信１を行う（図９中のステップＳ００３）。Ｂ−Ｅ通信１においては、アイピースＣＰＵ２２は、ステップＳ１０５で算出した現在のズーミング状態における焦点距離ｆｅおよび見掛け視界ｓのデータをボディＣＰＵ６０へ送信し（図１０中のステップＳ１０９）、ボディＣＰＵ６０は、これらのデータを取得する（図９中のステップＳ００４）。
【０１０１】
アイピースＣＰＵ２２は、Ｂ−Ｅ通信１を行った後はステップＳ１０２へ戻る。すなわち、アイピースＣＰＵ２２は、ズーム操作環２１４が操作されてズーミング状態が変化する度に、そのズーミング状態における焦点距離ｆｅおよび見掛け視界ｓを算出して、その後のＢ−Ｅ通信１により、現状の焦点距離ｆｅおよび見掛け視界ｓのデータをボディＣＰＵ６０へ送信する。
【０１０２】
アイピースＣＰＵ２２から焦点距離ｆｅおよび見掛け視界ｓのデータを取得したボディＣＰＵ６０は、撮影画角αおよび観察画角βを算出するために、以下のような画角演算処理を行う（ステップＳ００５）。
【０１０３】
撮影画角αについては、ボディＣＰＵ６０は、ＥＥＰＲＯＭ６７に記憶された、ＣＣＤ撮像素子１６の受光面有効エリア対角距離の２分の１の値ｙと、撮影光学系の焦点距離の値ｆとを利用して、α＝２×tan（ｙ／ｆ）なる演算を行い、撮影画角αを算出する。なお、前記ｙおよびｆの値に代えて、撮影画角αの値そのものをＥＥＰＲＯＭ６７に記憶しておき、このような演算を省略するようにしてもよい。
【０１０４】
観察画角βは、次のようにして算出する。一般に望遠鏡では、対物光学系焦点距離を接眼光学系焦点距離で除算することにより観察倍率が得られ（観察倍率＝対物光学系焦点距離／接眼光学系焦点距離）、見掛け視界を観察倍率で除算することにより観察画角（実視界）が得られる（観察画角＝見掛け視界／観察倍率）。よって、ボディＣＰＵ６０は、ＥＥＰＲＯＭ６７に記憶された対物光学系１１の焦点距離ｆＯのデータと、アイピースＣＰＵ２２から取得した接眼光学系２１の焦点距離ｆｅおよび見掛け視界ｓのデータとを利用して、β＝ｓ×ｆｅ／ｆＯなる演算を行うことにより、観察画角βを算出する。
【０１０５】
画角演算処理を終えたら、ボディＣＰＵ６０は、観察画角βと撮影画角αとが合致しているか否かを判定し（ステップＳ００６）、観察画角βと撮影画角αとが合致している場合には、地上望遠鏡本体１側のＬＥＤランプ４７を点灯させるとともにズームアイピース２Ａ側のＬＥＤランプ２５に対する点灯指令を出す（ステップＳ００７）。観察画角βと撮影画角αとが合致していない場合には、ＬＥＤランプ４７を点滅させるとともにＬＥＤランプ２５に対する点滅指令を出す（ステップＳ００８）。
【０１０６】
次いで、ボディＣＰＵ６０は、ズームアイピース２Ａ側のＬＥＤランプ２５に対する制御指令（点灯指令または点滅指令）をアイピースＣＰＵ２２へ送信するためにアイピースＣＰＵ２２に対し通信（以下「Ｂ−Ｅ通信２」と言う）を試みる（ステップＳ０１０）。
【０１０７】
アイピースＣＰＵ２２は、ボディＣＰＵ６０からＢ−Ｅ通信２の割り込みがあった場合には（図１０中のステップＳ１１０）、ボディＣＰＵ６０とＢ−Ｅ通信２を行う。Ｂ−Ｅ通信２においては、ＬＥＤランプ２５に対する制御指令がボディＣＰＵ６０からアイピースＣＰＵ２２へ入力される（ステップＳ１１１）。ＬＥＤランプ２５に対するボディＣＰＵ６０からの制御指令が点灯指令であった場合には（ステップＳ１１２）、アイピースＣＰＵ２２は、ＬＥＤランプ２５を点灯させる。また、ＬＥＤランプ２５に対するボディＣＰＵ６０からの制御指令が点滅指令であった場合には（ステップＳ１１４）、アイピースＣＰＵ２２は、ＬＥＤランプ２５を点滅させる。
【０１０８】
以上のような制御により、観察画角βと撮影画角αとが合致している場合には、ＬＥＤランプ４７および２５が点灯し、観察画角βと撮影画角αとが合致していない場合には、ＬＥＤランプ４７および２５が点滅する。よって、使用者は、ズーム操作環２１４を操作して観察倍率を変えていきながら、ＬＥＤランプ４７および２５が点滅状態から点灯状態に変化したのを視認したところで、観察画角βと撮影画角αとが合致した状態になったのを知ることができる。
【０１０９】
以上、ズームアイピース２Ａを使用した場合の制御について説明したが、単焦点のアイピース２を使用した場合の制御では、図１０中のステップＳ１０３およびＳ１０４は行われない。すなわち、単焦点のアイピース２では、焦点距離ｆｅおよび見掛け視界ｓは固定された値であるので、アイピースＣＰＵ２２は、ステップＳ１０５において演算処理を行う必要はなく、ＲＯＭ２３に記憶された焦点距離ｆｅおよび見掛け視界ｓのデータを呼び出すだけで済む。この点以外においては、単焦点のアイピース２を使用した場合の制御はズームアイピース２Ａの場合と同様であるので、説明を省略する。
【０１１０】
単焦点のアイピース２を使用する場合においては、観察画角βと撮影画角αとが合致するような焦点距離および見掛け視界のアイピース２を選択して装着した場合、ＬＥＤランプ４７および２５が点灯するので、使用者は観察画角βと撮影画角αとが合致しているのを知ることができる。これに対し、それとは異なる焦点距離および見掛け視界のアイピース２を装着した場合には、ＬＥＤランプ４７および２５が点滅するので、使用者は観察画角βと撮影画角αとが合致していないのを知ることができる。
【０１１１】
なお、本発明のズームアイピース２Ａやアイピース２以外の汎用のアイピースを地上望遠鏡本体１に装着した場合には、ボディＣＰＵ６０は、焦点距離ｆｅおよび見掛け視界ｓの情報を取得することができない。この場合、すなわち、ボディＣＰＵ６０が図９中のステップＳ００４においてアイピース情報を得られないと判断した場合には、ボディＣＰＵ６０は、地上望遠鏡本体１側のＬＥＤランプ４７を消灯させる（ステップＳ００９）。これにより、使用者は、ＬＥＤランプ４７を消灯しているのを視認した場合には、観察画角と撮影画角との合致／非合致報知機能に対応していないアイピースであることを知ることができる。
【０１１２】
本実施形態では、ＬＥＤランプ２５を接眼光学系２１（第３群２１３）の周囲近傍に設置したことにより、使用者は、アイピース２またはズームアイピース２Ａを覗き込んだ状態を維持したままで、ＬＥＤランプ２５を視認することができ、よって、その状態のままで観察画角と撮影画角とが合致しているか否かを知ることができる。これにより、観察画角と撮影画角とが合致したとき、これをより確実に知ることができる。
【０１１３】
なお、観察画角と撮影画角との合致／非合致を報知する報知手段としては、図示の実施形態に限らず、いかなる構成でもよい。例えば、この報知手段としては、アイピース側のＬＥＤランプ２５と、地上望遠鏡本体１側のＬＥＤランプ４７とのいずれか一方のみであってもよい。また、この報知手段として、ディスプレイ１５を用い、ディスプレイ１５にマークや文字列を表示するようにしてもよい。また、この報知手段としては、使用者の視覚に訴えて報知するものに限らず、アラームや音声などで使用者の聴覚に訴えて報知するものでもよい。
【０１１４】
また、本実施形態では、観察画角βと撮影画角αとが合致したとき、すなわちβ＝αとなったときに報知するようにしているが、報知するときの状態はこの状態に限定されず、観察画角βと撮影画角αとが予め定められた所定の比率になったときにこれを検知して報知するようにすればよい。例えば、観察視野が円形であるのに対して撮影写野は長方形であるので、観察視野の広さと撮影写野の広さとが感覚的に同じくらいに感じられるような状態として、観察画角βが撮影画角αよりもやや小さい状態（例えばβ／α＝０．９の状態）になるのを検知してこれを報知するようにしてもよい。また、例えばβ＝αになったときとβ／α＝０．９になったときとの両方の状態においてそれぞれ報知する、というように、報知するときの観察画角βと撮影画角αとの比率が複数段階に設定されていてもよい。また、例えば０．９９≦β／α≦１．０１のときに報知する、というように、報知するときの観察画角βと撮影画角αとの比率は一点でなくてもよく、ある程度の幅があってもよい。
【０１１５】
以下、図９のフローチャートの残りの部分に基づいて、撮影を行うときの制御について説明する。
レリーズボタン４２が半押しされて測光スイッチ４２１がオンすると（ステップＳ０１１）、ボディＣＰＵ６０は、ＣＣＤ撮像素子１６の出力信号に基づいて測光（ステップＳ０１２）、および露出演算（ステップＳ０１３）を行う。
【０１１６】
この状態から、さらにレリーズボタン４２が全押しされてレリーズスイッチ４２２がオンすると（ステップＳ０１４）、ボディＣＰＵ６０は、ＤＳＰ６１へ本露光動作を指示する。本露光指令を受けたＤＳＰ６１は、ＣＣＤ撮像素子１６の不要電荷掃き出し制御や露出制御（電荷蓄積時間制御）を行った後、前記と同様に撮像信号処理回路６３を介し、ＣＣＤ撮像素子１６から画素間引きせずに電荷データを読み出し、ＳＤＲＡＭ６２に一旦保持する。そして、ＤＳＰ６１は、ＳＤＲＡＭ６２から読み出した電荷データに対し所定の信号処理を施すことにより、画素データ数の多い記録用静止原画像データを生成する（ステップＳ０１５）。
【０１１７】
さらに、ＤＳＰ６１は、生成された記録用静止原画像データから画素データ間引き処理をして、表示用静止画像のスクリーンネイル（例えば６４０×４８０画素）を生成し、一定時間、ディスプレイ１５に表示させる（ステップＳ０１６）。また、ＤＳＰ６１は、生成された記録用静止原画像データに例えばＪＰＥＧ等の画像データ圧縮処理を施し、得られた圧縮画像データをメモリインターフェース６６を介して出力して、メモリーカード１００に記録する（ステップＳ０１７）。メインスイッチ４１が再度押されてオフした場合には、電源オフ状態となる（ステップＳ０１８）。
【０１１８】
以上、本発明の望遠鏡、望遠鏡本体およびアイピースを図示の実施形態について説明したが、本発明は、これに限定されるものではなく、望遠鏡、望遠鏡本体およびアイピースを構成する各部は、同様の機能を発揮し得る任意の構成のものと置換することができる。また、任意の構成物が付加されていてもよい。
【０１１９】
また、記憶手段に記憶される撮影画角、対物光学系焦点距離、接眼光学系焦点距離、見掛け視界等に関する各データは、それらの値そのものを示すデータでなくてもよく、それらの値に所定の換算や演算を施したデータであってもよい。
【０１２０】
また、上述した実施形態においては、望遠鏡本体とアイピースとが着脱自在である構成について説明したが、本発明の望遠鏡では、望遠鏡本体とズーム式のアイピースとが一体化していて取り外しできないものであってもよい。
【０１２１】
また、上述した実施形態においては、本発明を地上望遠鏡に適用した場合について説明したが、本発明は、これに限らず、天体望遠鏡を含めた各種の望遠鏡に適用することができる。
【図面の簡単な説明】
【０１２２】
【図１】本発明の望遠鏡本体を地上望遠鏡本体に適用した場合の実施形態を示す斜め前方から見た斜視図である。
【図２】図１に示す地上望遠鏡本体を斜め後方から見た斜視図である。
【図３】図１に示す地上望遠鏡本体の断面側面図である。
【図４】本発明の地上望遠鏡の光学系を示す斜視図である。
【図５】プリズムユニットを図３と反対側から見た側面図である。
【図６】図１に示す地上望遠鏡本体と本発明のズーム式のアイピースとを組み合わせてなる本発明の地上望遠鏡のブロック図である。
【図７】本発明の単焦点のアイピースの実施形態を示す斜視図である。
【図８】本発明の単焦点のアイピースの実施形態を示すブロック図である。
【図９】ボディＣＰＵのメイン制御動作を示すフローチャートである。
【図１０】アイピースＣＰＵの制御動作を示すフローチャートである。
【符号の説明】
【０１２３】
１            地上望遠鏡本体
１０          地上望遠鏡
１１          対物光学系
１２          鏡筒
１３          筐体
１４          アイピース取付口
１４１        電気接点
１５          ディスプレイ
１６          ＣＣＤ撮像素子
１７          光学フィルターユニット
１８          縮小光学系
１９          レンズ駆動機構
２０          視野枠
２            アイピース
２Ａ          ズームアイピース
２１          接眼光学系
２１１        第１群
２１２        第２群
２１３        第３群
２１４        ズーム操作環
２２          アイピースＣＰＵ
２３          ＲＯＭ
２４          電気接点
２５          ＬＥＤランプ
２６          ズームエンコーダ
３            合焦手段
３１          フォーカスレンズ
３２          ピントリング
３３          フォーカスレンズ移動機構
４            操作スイッチ類
４１          メインスイッチ
４２          レリーズボタン
４２１        測光スイッチ
４２２        レリーズスイッチ
４３          メニューキー
４４          ディスプレイキー
４５          ４方向キー
４５１        上方向キー
４５２        下方向キー
４５３        左方向キー
４５４        右方向キー
４６          ＯＫボタン
４７          ＬＥＤランプ
５            プリズムユニット
５１          第１の直角プリズム
５２          第２の直角プリズム
５３          第３の直角プリズム
５４          第４の直角プリズム
５５          プリズム
５５１        出射面
５６          ビームスプリッター
６０          ボディＣＰＵ
６１          ＤＳＰ
６２          ＳＤＲＡＭ
６３          撮像信号処理回路
６４          タイミングジェネレータ
６６          メモリインターフェース
６７          ＥＥＰＲＯＭ
６８          縮小光学系駆動コントローラ
６９          位置センサ
７０          通信ライン
７１          電源ライン
１００        メモリーカード
Ｌ１           光路
Ｌ２           第１光路
Ｌ３           第２光路
Ｓ００１〜Ｓ０１８、Ｓ１０１〜Ｓ１１５  ステップ
【図１】
2005274618.tif 000003
【図２】
2005274618.tif 000004
【図３】
2005274618.tif 000005
【図４】
2005274618.tif 000006
【図５】
2005274618.tif 000007
【図６】
2005274618.tif 000008
【図７】
2005274618.tif 000009
【図８】
2005274618.tif 000010
【図９】
2005274618.tif 000011
【図１０】
2005274618.tif 000012